(57)【要約】【課題】上下方向の相対的な位置関係が相互に変動する第１躯体及び第２躯体において、これらの第１躯体及び第２躯体を好適に接続することが可能となる施工方法を提供すること。【解決手段】施工方法は、第１躯体１ａを施工する第１躯体施工工程と、第２躯体１ｂを施工する第２躯体施工工程と、第１躯体１ａと第２躯体１ｂとを所定以上の可撓性を有する接続部７０により相互に仮接続する仮接続工程と、第１躯体１ａと第２躯体１ｂとの上下方向における相対的な位置関係を変動させる変動工程と、変動工程の後に、第１躯体１ａと第２躯体１ｂとを本接続する本接続工程と、を含む。【選択図】図１
2018178613.tif 000002
【特許請求の範囲】
【請求項１】
建築物を第１工区及び第２工区に分割して施工する施工方法であって、
前記第１工区において前記建築物における第１躯体を施工する第１躯体施工工程と、
前記第２工区において前記建築物における第２躯体を施工する第２躯体施工工程と、
前記第１躯体と前記第２躯体とを所定以上の可撓性を有する接続手段により相互に仮接続する仮接続工程と、
前記第１躯体又は前記第２躯体のいずれか一方又は両方を上昇又は下降させることにより、前記第１躯体と前記第２躯体との上下方向における相対的な位置関係を変動させる変動工程と、
前記変動工程の後に、前記第１躯体と前記第２躯体とを本接続する本接続工程と、を含む、
施工方法。
【請求項２】
前記変動工程は、
前記第１躯体又は前記第２躯体のうち上昇又は下降の対象となる対象躯体をジャッキアップするジャッキアップ工程と、
前記対象躯体に対して免震装置を設置する免震装置設置工程と、
前記免震装置設置工程の後に、前記対象躯体をジャッキダウンさせるジャッキダウン工程と、を含む、
請求項１に記載の施工方法。
【請求項３】
前記第１躯体施工工程において、前記第１躯体を逆打ち工法で施工し、
前記第２躯体施工工程において、前記第２躯体を順打ち工法で施工する、
請求項１又は２に記載の施工方法。
【請求項４】
前記接続手段は鉄筋又は鉄骨のいずれか一方又は両方を備え、
前記本接続工程において、前記鉄筋又は鉄骨のいずれか一方又は両方を覆うようにコンクリートを打設することにより前記本接続を行う、
請求項１から３のいずれか一項に記載の施工方法。
【発明の詳細な説明】
【技術分野】
【０００１】
本発明は、施工方法に関する。
【背景技術】
【０００２】
従来、免震装置を設置した躯体を逆打ち工法で施工する施工方法が提案されている（例えば、特許文献１参照）。このような施工方法では、まず地盤からの水平荷重を支持する山留壁を施工し、次に当該山留壁の内側の位置に躯体を逆打ち工法で施工していく。このような逆打ち工法によれば、地下階を施工しながら地上階を施工できるので、通常の順打ち工法と比べて工期を短縮することが可能であった。
【先行技術文献】
【特許文献】
【０００３】
【特許文献１】特開２０１１−１２７３６７号公報
【発明の概要】
【発明が解決しようとする課題】
【０００４】
ここで、単一の建築物において、当該建築物を構成する第１躯体を上述した逆打ち工法で施工し、当該建築物を構成する第２躯体を通常の順打ち工法で施工することにより、建築物の一部のみを早期に施工したい場合が存在した。このような場合においては、第１躯体と第２躯体との相互間において上下方向の相対的な位置関係が変動してしまう可能性があった。すなわち、第１に、逆打ち部分である第１躯体は、順打ち部分である第２躯体よりも早期に建築物が積み上げられて形成されていくため、重量の増加に伴って第２躯体よりも沈み込む可能性があった。また、第２に、第１躯体に免震装置を設置する際には、免震装置の設置に伴うジャッキアップ及びジャッキダウンにより両者の位置関係が変動してしまう可能性があった。
【０００５】
ここで、このような上下方向の相対的な位置関係が変動してしまう可能性があるものの、第１躯体と第２躯体とを相互に接続したいという要望があった。例えば、第１躯体と第２躯体とを接続して、これらの第１躯体や第２躯体の梁やスラブ等を、山留壁を支持するための切梁として機能させることや、第１躯体と第２躯体との相互間の隙間を埋めることにより現場の安全性の向上を図ることが望まれていた。
【０００６】
本発明は、上記に鑑みてなされたものであって、上下方向の相対的な位置関係が相互に変動する第１躯体及び第２躯体において、これらの第１躯体及び第２躯体を好適に接続することが可能となる施工方法を提供することを目的とする。
【課題を解決するための手段】
【０００７】
上述した課題を解決し、目的を達成するために、請求項１に記載の施工方法は、建築物を第１工区及び第２工区に分割して施工する施工方法であって、前記第１工区において前記建築物における第１躯体を施工する第１躯体施工工程と、前記第２工区において前記建築物における第２躯体を施工する第２躯体施工工程と、前記第１躯体と前記第２躯体とを所定以上の可撓性を有する接続手段により相互に仮接続する仮接続工程と、前記第１躯体又は前記第２躯体のいずれか一方又は両方を上昇又は下降させることにより、前記第１躯体と前記第２躯体との上下方向における相対的な位置関係を変動させる変動工程と、前記変動工程の後に、前記第１躯体と前記第２躯体とを本接続する本接続工程と、を含む。
【０００８】
請求項２に記載の施工方法は、請求項１に記載の施工方法において、前記変動工程は、前記第１躯体又は前記第２躯体のうち上昇又は下降の対象となる対象躯体をジャッキアップするジャッキアップ工程と、前記対象躯体に対して免震装置を設置する免震装置設置工程と、前記免震装置設置工程の後に、前記対象躯体をジャッキダウンさせるジャッキダウン工程と、を含む。
【０００９】
請求項３に記載の施工方法は、請求項１又は２に記載の施工方法において、前記第１躯体施工工程において、前記第１躯体を逆打ち工法で施工し、前記第２躯体施工工程において、前記第２躯体を順打ち工法で施工する。
【００１０】
請求項４に記載の施工方法は、請求項１から３のいずれか一項に記載の施工方法において、前記接続手段は鉄筋又は鉄骨のいずれか一方又は両方を備え、前記本接続工程において、前記鉄筋又は鉄骨のいずれか一方又は両方を覆うようにコンクリートを打設することにより前記本接続を行う。
【発明の効果】
【００１１】
請求項１に記載の施工方法によれば、第１躯体と第２躯体とを所定以上の可撓性を有する接続手段により相互に仮接続し、変動工程の後に第１躯体と第２躯体とを本接続するので、上下方向の相対的な位置関係が相互に変動する第１躯体及び第２躯体において、接続手段が積極的に変形することにより、第１躯体又は第２躯体における当該接続手段の接続箇所の変形や損壊を防止でき、これらの第１躯体及び第２躯体を好適に接続することが可能となり、例えば、第１躯体又は第２躯体の少なくとも一方が逆打ち工法で施工される場合に、第１躯体と第２躯体とを接続して、これらの第１躯体や第２躯体の梁やスラブ等を、山留壁を支持するための切梁として機能させることが可能となる。また、第１躯体及び第２躯体を接続手段にて接続することにより、第１躯体と第２躯体との相互間における人や車両等の安全な通行が可能となる。
【００１２】
請求項２に記載の施工方法によれば、免震装置の設置に伴うジャッキアップ又はジャッキダウンにより第１躯体及び第２躯体に上下方向の相対的な変動が生じた場合であっても、接続手段が積極的に変形することにより、第１躯体又は第２躯体における当該接続手段の接続箇所の変形や損壊を防止でき、これらの第１躯体及び第２躯体を好適に接続することが可能となる。
【００１３】
請求項３に記載の施工方法によれば、第１躯体を逆打ち工法で施工し、第２躯体を順打ち工法で施工するので、水平支持用の切梁の一部として接続手段を用いることができ、接続手段により第１躯体及び第２躯体の水平荷重を支持しつつ、これらの第１躯体及び第２躯体を好適に接続することが可能となる。
【００１４】
請求項４に記載の施工方法によれば、接続手段は鉄筋又は鉄骨のいずれか一方又は両方を備え、本接続工程において、鉄筋又は鉄骨のいずれか一方又は両方を覆うようにコンクリートを打設することにより本接続を行うので、当該接続手段を用いて本設の梁やスラブを構築することが可能となる。
【図面の簡単な説明】
【００１５】
【図１】本発明の実施の形態に係る建築物を示す正面図である。
【図２】図１のＡ部の拡大図である。
【図３】本発明の実施の形態に係る施工方法の手順１にて施工された建築物を示す図であって、図３（ａ）は図１のＢ部に対応する拡大図、図３（ｂ）は躯体の各部の相対的な高さを示す図である。
【図４】図３のＣ部の拡大図である。
【図５】本発明の実施の形態に係る施工方法の手順２にて施工された建築物を示す図であって、図５（ａ）は図１のＢ部に対応する拡大図、図５（ｂ）は躯体の各部の相対的な高さを示す図である。
【図６】施工方法の手順３にて施工された建築物を示す図であって、図６（ａ）は図１のＢ部に対応する拡大図、図６（ｂ）は躯体の各部の相対的な高さを示す図である。
【図７】施工方法の手順４にて施工された建築物を示す図であって、図７（ａ）は図１のＢ部に対応する拡大図、図７（ｂ）は躯体の各部の相対的な高さを示す図である。
【図８】施工方法の手順５にて施工された建築物を示す図であって、図８（ａ）は図１のＢ部に対応する拡大図、図８（ｂ）は躯体の各部の相対的な高さを示す図である。
【発明を実施するための形態】
【００１６】
以下に添付図面を参照して、この発明に係る施工方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１７】
〔Ｉ〕実施の形態の基本的概念
まず、実施の形態の基本的概念について説明する。本実施の形態は、建築物を第１工区及び第２工区に分割して施工する施工方法に関する。ここで、この建築物の利用の用途は任意であり、例えば生産施設、商業施設、飲食施設、又は娯楽施設等として利用することができる。また、建築物の総階数、大きさ、形状等については任意であるものとする。また、本実施の形態においては、建築物の構成として公知の点については適宜説明を省略する。
【００１８】
〔ＩＩ〕実施の形態の具体的内容
次に、実施の形態の具体的内容について説明する。
【００１９】
（構成）
図１は、本実施の形態に係る建築物１００を示す正面図、図２は、図１のＡ部の拡大図である。これら図１及び図２に示すように、本実施の形態に係る建築物１００は、概略的に、躯体１、及び山留壁２を備えて構成されている。
【００２０】
ここで、以下では、必要に応じて、これら図１や図２におけるＸ−Ｘ’方向を「幅方向」と称し、特にＸ方向を「右方向」、Ｘ’方向を「左方向」と称する。また、Ｙ−Ｙ’方向（Ｘ−Ｚ平面に直交する方向）を「奥行き方向」と称し、特にＹ方向（向かって手前の方向）を「前方向」、Ｙ’方向（向かって奥の方向）を「後方向」と称する。また、Ｚ−Ｚ’方向を「高さ方向」と称し、特にＺ方向を「上方向」、Ｚ’方向を「下方向」と称する。また、それぞれの躯体１の各部を基準として、各部の中心に近づく方を「内側」、各部の中心から遠ざかる方を「外側」と称して説明する。
【００２１】
なお、本実施の形態に係る建築物１００が施工される土壌の一部は、所定の深さまで掘削されており、このように掘削された区画を以下では「掘削区画」と称し、掘削されていない区画を「周辺区画」と称して説明する。また、掘削区画の地面を以下では「掘削面」と称し、周辺区画の地面を以下では「地上面」と称して説明する。
【００２２】
（構成−躯体）
ここで、躯体１は、掘削区画に略配置された構造体である。この躯体１の具体的な構造は任意で、例えば鉄骨造や木造等の公知の構造を適用できるが、本実施の形態においては鉄筋コンクリート造を適用するものとして説明する。また、躯体１の具体的な形状は任意であるが、本実施の形態においては図示の簡略化のために、幅方向に長い略直方体形状の構造体であるものとして説明する。ここで、躯体１の一部分は地上面よりも上方（以下、「地上」）に配置されており、躯体１の他の部分は地上面よりも下方（以下、「地下」）に配置されている。なお、躯体１の各階を指す場合には、それぞれ「地下一階」Ｂ１、又は「地上一階」１Ｆ、のように称して説明する。また、地下一階の下方には免震層Ｌが設けられている。なお、上述したように躯体１の総階数は任意であり、本実施の形態では地上一階１Ｆまでの構造体であるものとするが、例えばより高層の構造体としても構わない。
【００２３】
ここで、躯体１は、第１躯体１ａと第２躯体１ｂとを備えて構成されている。ここで、「第１躯体」１ａとは、第１工区に施工される躯体１であり、「第２躯体」１ｂとは、第２工区に施工される躯体１である。ここで、これらの第１躯体１ａ及び第２躯体１ｂの施工方法は任意であるが、本実施の形態において、第１躯体１ａは逆打ち工法で施工し、第２躯体１ｂは順打ち工法で施工するものとして説明する。また、各工区の割り振りについては任意であるが、より早期の施工が要望される工区を第１工区として逆打ち工法で施工することが好ましい。
【００２４】
ここで、躯体１は、概略的に、柱１０、構真柱２０、基礎杭３０、大梁４０、スラブ５０、免震装置６０、及び接続部７０を備えて構成されている。なお、各図において、小梁や壁等については図示を省略している。
【００２５】
（構成−躯体−柱）
柱１０は、躯体１を構成する鉛直部材であり、幅方向及び奥行き方向に沿って所定の間隔で複数配置されている。なお、図１においては、第１躯体１ａを構成する柱１０と、第２躯体１ｂを構成する柱１０とを図示している。ここで、第１躯体１ａの柱１０は構真柱２０及び基礎杭３０と同軸上に配置されており、第２躯体１ｂの柱１０は基礎杭３０と同軸上に配置されている（第２躯体１ｂには構真柱２０は設けられていない）。具体的には、図１に示すように第１躯体１ａは計５列（左からそれぞれ、１列目、２列目、３列目、４列目、及び、５列目と称する）の柱１０、構真柱２０、及び基礎杭３０から構成されており、第２躯体１ｂは計６列（左からそれぞれ、６列目、７列目、８列目、９列目、１０列目、及び、１１列目と称する）の柱１０、及び基礎杭３０から構成されている。
【００２６】
ここで、各柱１０の具体的な構造は任意で、本実施の形態ではプレキャストコンクリートの柱（ＰＣａ柱）であるものとするが、これに限らず、現場打ちの鉄筋コンクリートや鉄筋鉄骨コンクリート、木、鉄骨等の柱であっても構わない。また、各柱１０の具体的な形状は任意で、本実施の形態では四角柱形状であるものとするが、これに限らず、円柱形状、又はその他の多角柱形状等であっても構わない。
【００２７】
（構成−躯体−構真柱）
構真柱２０は、躯体１を構成する鉛直部材のうち第１躯体１ａ側の地下に位置する鉛直部材であり、幅方向及び奥行き方向に沿って所定の間隔で複数配置されている。具体的に、各構真柱２０はいずれも地上から地下に至るように鉛直方向に沿って形成されており、下端部が基礎杭３０の内部に達するように挿通されている。なお、第２躯体１ｂの施工には逆打ち工法を採用しないので、第２躯体１ｂにはこの構真柱２０は設けられていない。
【００２８】
ここで、この構真柱２０の一部は上下に切断されており、この切断された部分に免震装置６０が設置されている。このように免震装置６０を設置する部分は任意であるが、本実施の形態においては免震層Ｌに設置するものとして説明する。
【００２９】
ここで、各構真柱２０の具体的な構造は任意で、本実施の形態では、公知のＨ型鋼として構成されているものとして説明するが、この構成に限定されない。
【００３０】
（構成−躯体−基礎杭）
基礎杭３０は、躯体１を構成する鉛直部材のうち第１躯体１ａ及び第２躯体１ｂの最下層に埋設された鉛直部材であり、幅方向及び奥行き方向に沿って所定の間隔で複数配置されている。具体的に、基礎杭３０は、いずれも地下の深層に鉛直方向に沿って埋設されており、下端部が支持層に達するように設置されている。
【００３１】
ここで、各基礎杭３０の具体的な構造は任意で、本実施の形態では、籠状に配筋された主筋及びフープ筋と、これらの主筋及びフープ筋を覆うように打設されたコンクリートとを備える公知の構成が適用されているものとして説明するが、この構成に限定されない。なお、第１躯体１ａにおいては、当該基礎杭３０上部の軸心部分に鉛直方向に沿って構真柱２０が挿通されている。
【００３２】
（構成−躯体−大梁）
大梁４０は、躯体１を構成する水平部材であり、柱１０同士、又は構真柱２０同士（以下、柱１０等）を相互に接続するように複数配置されている。具体的には、奥行き方向に並設された柱１０等同士を接続する梁と、幅方向に並設された柱１０等同士を接続する梁とを備えており、各大梁４０の上方にはスラブ５０が打設されている。
【００３３】
なお、各大梁４０は、主筋とあばら筋、腹筋等とを備える梁筋、及び当該梁筋を覆うように打設されたコンクリート（いずれも、符号省略）を備える鉄筋コンクリートの梁である。ただし、大梁４０の構造は任意であり、このような構造に限らず、例えば、木や鉄骨、鉄筋鉄骨コンクリート等の梁であっても構わない。また、各大梁４０の具体的な形状は任意で、本実施の形態では四角柱形状であるものとするが、これに限らない。
【００３４】
（構成−躯体−スラブ）
スラブ５０は、躯体１を構成する床部材である。このスラブ５０は、具体的には、各大梁４０の上方に配置されており、各階の床面を構成している。なお、スラブ５０の具体的な構成は任意で、本実施の形態においてはスラブ筋５１を覆うようにコンクリート５２を型枠に打設して形成する公知のコンクリートスラブであるものとして説明するが、これに限らず、例えばデッキスラブ等を組み合わせて構築しても構わない。
【００３５】
（構成−躯体−免震装置）
免震装置６０は、地震動を吸収する免震手段である。この免震装置６０は、各構真柱２０の途中に組み込まれて配置されており、具体的には、構真柱２０の免震層Ｌ部分に取り付けられている。ここで、このような免震装置６０の具体的な構造は任意で、本実施の形態においては、矩形の２枚のベースプレートの相互間に複数の免震ゴムを積層させて形成した装置であるものとして説明するが、これに限らず、公知の滑り支承や転がり支承などを用いても構わない。
【００３６】
（構成−躯体−接続部）
接続部７０は、第１躯体１ａと第２躯体１ｂとを相互に接続する、所定以上の可撓性を有する接続手段である。なお、「所定以上の可撓性」とは、第１躯体１ａと第２躯体１ｂとの上下方向における相対的な位置関係が変位した場合に、当該変位に追従可能な程度の可撓性である。この接続部７０は、概略的に、スラブ接続部８０と、梁接続部（符号省略）とを備えている。なお、接続部７０は、第１躯体１ａと第２躯体１ｂとの相互間における、各階に配置されているが、本実施の形態においては地上一階１Ｆの接続部７０のみについて説明し、他の階の接続部７０については、詳細な説明を省略する。
【００３７】
スラブ接続部８０は、第１躯体１ａのスラブ５０と第２躯体１ｂのスラブ５０とを相互に接続するスラブ接続手段である。具体的に、このスラブ接続部８０は、第１躯体１ａと第２躯体１ｂとの相互間のスペースに配置されており、第１躯体１ａのスラブ筋５１及び第２躯体１ｂのスラブ筋５１と同一のレベルに配筋された鉄筋である。このスラブ接続部８０は、第１躯体１ａのスラブ筋５１と一体形成されており、スラブ筋５１の右端部から第２躯体１ｂに向かって右方向（Ｘ方向）に突出している。この鉄筋（スラブ接続部８０）の右端部は第２躯体１ｂのスラブ５０のコンクリート５２の内部に達しており、第２躯体１ｂのスラブ筋５１に対して公知の方法（例えば重ね継手）で接合されている。そして、このスラブ接続部８０を覆うようにコンクリート８１が打設されており、第１躯体１ａと第２躯体１ｂとの間に床面を構築している。
【００３８】
梁接続部は、第１躯体１ａの大梁４０と第２躯体１ｂの大梁４０とを相互に接続する梁接続手段である。具体的に、この梁接続部は、第１躯体１ａと第２躯体１ｂとの相互間のスペースに配置されており、第１躯体１ａや第２躯体１ｂの大梁４０の延長線上に配筋された鉄筋である。ここで、上述したスラブ接続部８０がスラブ５０同士を接続するのに対して、この梁接続部は、大梁４０同士を接続している点を除いて、スラブ接続部８０と略同様に形成できるため、詳細な説明や図示を省略する。ただし、スラブ接続部８０は上述したように重ね継手で第２躯体１ｂのスラブ筋５１に対して接合したが、梁接続部は、機械式継手や圧接で第２躯体１ｂの梁筋に対して接合することが好ましい。
【００３９】
（構成−山留壁）
山留壁２は、土壌からの水平荷重を支持する荷重支持部である。この山留壁２は、具体的には、土壌における掘削区画Ｅ１と周辺区画Ｅ２との境界に設けられており、周辺区画Ｅ２の土壌が掘削区画Ｅ１に崩落してしまうことを防止するための壁である。この山留壁２は掘削区画Ｅ１内への土壌の崩落を防止することが可能である限りにおいて任意の構成とすることができるが、本実施の形態においては、掘削区画Ｅ１の右方、左方、前方、及び後方の全面を覆う板状体であるものとする。具体的には、山留壁２は、複数の鋼矢板を組み合わせて構築されているが、このような山留壁２の構築方法は公知であるため詳細な説明を省略する。
【００４０】
（施工方法）
続いて、本実施の形態に係る建築物１００の施工方法について説明する。
【００４１】
図３は、本実施の形態に係る施工方法の手順１にて施工された建築物１００を示す図であって、図３（ａ）は図１のＢ部に対応する拡大図、図３（ｂ）は躯体１の各部の相対的な高さを示す図である。すなわち、この施工方法では、免震装置６０を設置するために第１躯体１ａを上昇又は下降させるので、第１躯体１ａの上下位置を分かり易くするために、図３（ｂ）に第１躯体１ａ及び第２躯体１ｂの地上一階１Ｆのスラブ５０の位置を簡略化して図示している。なお、図３（ｂ）のＸ軸は、図３（ａ）のＸ−Ｘ’方向に対応し、図３（ｂ）のＺ軸は、図３（ａ）のＺ−Ｚ’方向に対応する。ここで、点Ｐ１からＰ６は、それぞれ、１列目から６列目における地上一階１Ｆのスラブ５０の上面をプロットしたものである。また、点線は第２躯体１ｂの地上一階１Ｆのスラブ５０の高さを示す線であり、一点鎖線は第１躯体１ａの地上一階１Ｆのスラブ５０の初期段階（免震装置６０設置前の段階）の高さを示す線であり、実線は隣接する点を互いに結ぶ線である。なお、後述する図５から図８についても同様である。
【００４２】
この図３に示すように、まずは、第１躯体施工工程、第２躯体施工工程、仮接続工程、及び足場施工工程を実施する。
【００４３】
第１躯体施工工程は、第１躯体１ａを逆打ち工法で施工する工程である。この工程は公知の方法を採用でき、例えば、まず、掘削区画と周辺区画との境界に沿って土壌を掘削し、掘削した部分に鋼矢板を落とし込んで山留壁２を構築する。同時に、掘削区画の土壌に鉛直方向に沿った杭孔を形成して、この杭孔に籠状の鉄筋を落とし込んだ後に、コンクリートを流し込む（この際には、基礎杭３０のコンクリート天端レベルよりも１０００ｍｍ程度上方まで余分に流し込む）。そして、コンクリートが固まらないうちに、構真柱２０を上から挿入してレベルや水平位置の調整を公知の方法で行う。最後に、杭孔におけるコンクリートよりも上部の部分を土等で埋め戻す。
【００４４】
次に、第１躯体１ａの大梁４０やスラブ５０などを形成していく。具体的には、まず、一次掘削を行う。この一次掘削では、地上一階１Ｆの大梁４０やスラブ５０を設置するために、地上面から所定深さ（例えば、１５００ｍｍ程度）までを掘削する。そして、この掘削箇所に地上一階１Ｆの大梁４０やスラブ５０を設置し、その後に二次掘削を行う。この二次掘削では、免震装置６０上部の大梁４０やスラブ５０を設置するために、免震層Ｌの付近までを掘削する。そして、この掘削箇所に免震装置６０上部の大梁４０やスラブ５０を設置し、その後に三次掘削を行う。この三次掘削では、耐圧版３１や免震装置６０の下部の大梁４０やスラブ５０を設置するために、耐圧版３１の下端（すなわち、基礎杭３０の天端）付近までを掘削する。そして、基礎杭３０の杭頭処理を行い、免震装置６０下部の大梁４０やスラブ５０を設置し、その後に耐圧版３１を構築する。なお、当該第１躯体１ａは逆打ち工法で施工を行うので、地下一階Ｂ１部分を形成しながら、順次地上一階１Ｆ部分を施工していくことができ、通常の順打ち工法を適用する第２躯体１ｂよりも早い段階で地上一階１Ｆ部分を施工することができる。
【００４５】
ここで、図３（ｂ）に示すように、第１躯体施工工程においては、第１躯体１ａのスラブ５０上面のレベルが第２躯体１ｂのスラブ５０上面のレベルよりも上方に位置するように、第１躯体１ａを構築する。なお、図３（ａ）においては、上下関係が分かり易いよう、第１躯体１ａを誇張して上方に配置しているが、実際には数ｍｍから数ｃｍ程度上方に配置すれば構わない。
【００４６】
第２躯体施工工程は、第２躯体１ｂを順打ち工法で施工する工程であって、上記の第１躯体施工工程と並行して実施することができる。この工程は公知の方法を採用でき、例えば、まず、例えば地上面から杭孔を掘削して基礎杭３０を形成し、その後に掘削区画を掘削し、掘削が終わったら基礎杭３０の杭頭処理をして耐圧版３１を形成する。その後、各大梁４０やスラブ５０を、下から順次設置していく。
【００４７】
仮接続工程は、第１躯体１ａと第２躯体１ｂとを所定以上の可撓性を有する接続部７０により相互に仮接続する工程である。この仮接続工程の実施タイミングとしては、第１躯体１ａの大梁４０の梁筋と、この梁筋と同一階にある第２躯体１ｂの大梁４０の梁筋の両方が配筋されている場合、または、第１躯体１ａのスラブ５０のスラブ筋５１と、このスラブ筋５１と同一階にある第２躯体１ｂの大梁４０のスラブ筋５１の両方が配筋されている場合に、任意のタイミングで実施できる。ただし、本実施の形態では、第１躯体１ａ及び第２躯体１ｂのいずれも梁筋及びスラブ筋５１は配筋されており、かつ、第１躯体１ａにのみ梁筋及びスラブ筋５１を覆うコンクリート５２が打設され、第２躯体１ｂにはこのようなコンクリートは未だ打設されていない場合に実施を開始する。なお、各小梁は図示を省略しているが、小梁が既に形成されていても構わない。また、本実施の形態では第１躯体１ａと第２躯体１ｂの大梁同士を相互に接続するが、小梁同士を相互に接続してもよい。
【００４８】
図４は、図３のＣ部の拡大図である。この図４に示すように、本工程では、スラブ接続部８０、及び梁接続部を構築する。なお、図４では、図示の便宜上、スラブ接続部８０のみを図示し、梁接続部の図示を省略している。また、これらは順不同で構築できるが、まずは、スラブ接続部８０の構築方法について説明する。具体的には、まず、第１躯体１ａのスラブ５０を施工する際に、スラブ５０のスラブ筋５１を第２躯体１ｂ側に所定距離（例えば、１５００ｍｍ）突出させる。この突出した部分（すなわち、スラブ接続部８０）は、先端が第２躯体１ｂに干渉して第２躯体１ｂの構築の邪魔となるため、一時的に折り曲げておくことが好ましい。そして、第２躯体１ｂのスラブ筋５１を配筋した段階（第２躯体１ｂのコンクリート５２を打設する前段階）で、スラブ接続部８０の折曲を戻して直線状にすることで、スラブ接続部８０の先端が第２躯体１ｂ側に位置し、この状態でスラブ接続部８０と第２躯体１ｂのスラブ筋５１とを重ね継手で接続できる。
【００４９】
梁接続部の構築方法については、上述したスラブ接続部８０の構築方法と略同様の方法（すなわち、梁接続部を予め折り曲げておき、第２躯体１ｂの梁筋を配筋した段階で折曲を戻して接続する方法）を採用してもよい。ただし、実際には、梁筋は、スラブ筋５１より太いために人力での折り曲げが困難であるので、折り曲げずに第２躯体１ｂ側に所定距離（例えば、５００〜９００ｍｍ）程度突出させておき、第２躯体１ｂの梁筋を配筋した段階（第２躯体１ｂのコンクリート５２を打設する前段階）で、機械式継手や圧接で第２躯体１ｂの梁筋に対して接合することが好ましい。そして、このようにスラブ接続部８０及び梁接続部による躯体１同士の接合が完了した後に、第２躯体１ｂのスラブ筋５１や梁筋を覆うようにコンクリート５２を打設する。
【００５０】
このように仮接続工程を行うことにより、第１躯体１ａと第２躯体１ｂとの相互間に配筋された接続部７０が構築されるので、第１躯体１ａ及び第２躯体１ｂで山留壁２からの水平荷重を支持して切梁として機能させることが可能となる。また、接続部７０によって、第１躯体１ａと第２躯体１ｂとの間を埋めることができ、安全性を向上できる。
【００５１】
足場施工工程は、第１躯体１ａと第２躯体１ｂとの相互間における人や車両の通行を可能とする足場３を施工する工程である。ここで、足場３の具体的な配置は、少なくとも人又は車両が通行可能である限り任意で、本実施の形態においては第１躯体１ａのスラブ５０の上面から、第２躯体１ｂのスラブ５０の上面に架け渡すように配置するものとして説明するがこれに限られない。例えば、上述した仮接続工程にて施工した接続部７０の上方に載置して配置し、接続部７０に当該足場３を支持させても構わない。また、足場３の具体的な形状は任意で、本実施の形態においては、スラブ５０の奥行きと一致する奥行きを有する長板形状体であるものとするが、これに限られず様々な形状の足場３を設けて構わない。例えば、人が一人通行可能な程度の奥行きしかない長板形状体であっても構わない。なお、この足場３は各躯体１に対してアンカー等で固定しても構わないが、本実施の形態においては、単に足場３をスラブ５０の上に載置するものとして説明する。また、この段階では第１躯体１ａは第２躯体１ｂよりも上方に位置するので、足場３は斜めに架け渡される。
【００５２】
図５は、施工方法の手順２にて施工された建築物１００を示す図であって、図５（ａ）は図１のＢ部に対応する拡大図、図５（ｂ）は躯体１の各部の相対的な高さを示す図である。この図５に示すように、続いて、第１躯体１ａの３列目から５列目において、変動工程を実施する。この変動工程は、第１躯体１ａ又は第２躯体１ｂのいずれか一方又は両方を上昇又は下降させることにより、第１躯体１ａと第２躯体１ｂとの上下方向における相対的な位置関係を変動させる工程である。なお、本実施の形態においては、第１躯体１ａのみを上昇及び下降させる。ここで、変動工程は、図５において説明するジャッキアップ工程、及び免震装置設置工程と、後述する図６において説明するジャッキダウン工程とを含む。
【００５３】
ジャッキアップ工程は、第１躯体１ａ又は第２躯体１ｂのうち上昇又は下降の対象となる対象躯体をジャッキアップする工程である。なお、本実施の形態では対象躯体は第１躯体１ａである。具体的には、当該ジャッキアップ工程では、免震層Ｌに上下方向に沿った鉛直ジャッキ４を取り付け、当該鉛直ジャッキ４に油圧を加えることにより、構真柱２０が支持していた第１躯体１ａの荷重を鉛直ジャッキ４に移し変える。
【００５４】
免震装置設置工程は、対象躯体に対して免震装置６０を設置する工程である。具体的には、ワイヤーソー等を用いて免震層Ｌに位置する構真柱２０の一部を除去し、当該構真柱２０を除去した部分に免震装置６０を設置する。ここで、免震装置６０を設置する具体的な方法は任意で、免震層Ｌの上下に免震装置取付用のベースプレートを取り付けるための免震基礎を構築する方法を適用できる。
【００５５】
図６は、施工方法の手順３にて施工された建築物１００を示す図であって、図６（ａ）は図１のＢ部に対応する拡大図、図６（ｂ）は躯体１の各部の相対的な高さを示す図である。この図６に示すように、続いて、第１躯体１ａの３列目から５列目において、ジャッキダウン工程を実施する。
【００５６】
ジャッキダウン工程は、免震装置設置工程の後に、対象躯体（本実施の形態においては、第１躯体１ａ）をジャッキダウンさせるジャッキダウン工程である。具体的には、上記の鉛直ジャッキ４による油圧を解除することにより、鉛直ジャッキ４が支持していた第１躯体１ａの荷重を構真柱２０及び免震装置６０に戻す。
【００５７】
ここで、鉛直ジャッキ４の油圧を解除する態様は任意であり、３列目から５列目を支持していたすべての鉛直ジャッキ４を一度に１００％解除しても構わない。ただし、本実施の形態においては、油圧の解除により第１躯体１ａ、第２躯体１ｂ、又は接続部７０に無理な応力が作用してこれらが変形してしまうことを防止するために、第１躯体１ａのスラブ５０が緩やかな傾斜となるように、鉛直ジャッキ４を解除する。具体的には、図６（ｂ）に示すように、４列目及び５列目の鉛直ジャッキ４の油圧を１００％解除すると共に、３列目の鉛直ジャッキ４の油圧を５０％のみ解除する。このように右方から左方へと段階的に油圧を解除することで、３列目を１００％解除した場合と比べて２列目から３列目に至る傾斜を緩やかにすることができ、当該部分の大梁４０やスラブ５０に無理な応力が生じることを防止できる。なお、４列目及び５列目のジャッキについては、取り外して構わない。また、より傾斜を緩やかにするためには、１列目や２列目の鉛直ジャッキ４の油圧も適宜調整して構わず、例えば５列目を９０％、４列目を７０％、３列目を５０％といったように、右方から左方に段階的に解除しても構わない。
【００５８】
なお、上記のようにジャッキダウンを行うことで、第１躯体１ａの右端部は沈降し、第１躯体１ａのスラブ５０上面と第２躯体１ｂのスラブ５０上面とは同一平面上に位置する。なお、このことにより、第１躯体１ａから第２躯体１ｂに架け渡された足場３が水平となる。
【００５９】
図７は、施工方法の手順４にて施工された建築物１００を示す図であって、図７（ａ）は図１のＢ部に対応する拡大図、図７（ｂ）は躯体１の各部の相対的な高さを示す図である。この図７に示すように、続いて、第１躯体１ａの１列目及び２列目において、ジャッキアップ工程、及び免震装置設置工程を順次実施する。なお、このような１列目及び２列目におけるジャッキアップ工程及び免震装置設置工程は、上述した３列目から５列目におけるジャッキアップ工程及び免震装置設置工程と同様に実施できるため、詳細な説明を省略する。
【００６０】
図８は、施工方法の手順５にて施工された建築物１００を示す図であって、図８（ａ）は図１のＢ部に対応する拡大図、図８（ｂ）は躯体１の各部の相対的な高さを示す図である。この図８に示すように、第１躯体１ａの１列目及び２列目において、ジャッキダウン工程を実施する。
【００６１】
ジャッキダウン工程は、第１躯体１ａを下降させることにより、第１躯体１ａと第２躯体１ｂとの上下方向における相対的な位置関係を変動させる変動工程である。なお、このような１列目及び２列目におけるジャッキダウン工程は、上述した３列目から５列目におけるジャッキダウン工程と同様に実施できる。
【００６２】
ここで、鉛直ジャッキ４の油圧を解除する態様は任意である。ただし、本実施の形態においては、油圧の解除により第１躯体１ａに無理な応力が作用して第１躯体１ａが変形してしまうことを防止するために、１列目から３列目の油圧を同時に解除するものとして説明する。具体的には、３列目の鉛直ジャッキ４の残りの油圧を全て解除し、１列目と２列目の鉛直ジャッキ４の油圧を１００％解除する。なお、油圧を解除した１列目から３列目のジャッキについては、取り外して構わない。
【００６３】
最後に、本接続工程を行い、図１に係る建築物１００を施工する。具体的には、スラブ接続部８０及び梁接続部を覆うように型枠を配置し、この型枠の内部にコンクリート８１を打設して鉄筋（スラブ接続部８０及び梁接続部）に定着させることにより、第１躯体１ａと第２躯体１ｂとを構造的に接続する。なお、スラブ接続部８０を覆うコンクリートと梁接続部を覆うコンクリートは別個に打設してもよい。また、上述した足場施工工程において施工した足場３は、適当なタイミング（例えば、コンクリート８１を打設する際）で取り外して構わない。以上にて、本実施の形態に係る施工方法の説明を終了する。
【００６４】
（実施の形態の効果）
このように、本実施の形態の施工方法によれば、第１躯体１ａと第２躯体１ｂとを所定以上の可撓性を有する接続部７０により相互に仮接続し、変動工程の後に第１躯体１ａと第２躯体１ｂとを本接続するので、上下方向の相対的な位置関係が相互に変動する第１躯体１ａ及び第２躯体１ｂにおいて、接続部７０が積極的に変形することにより、第１躯体１ａ又は第２躯体１ｂにおける当該接続部７０の接続箇所の変形や損壊を防止でき、これらの第１躯体１ａ及び第２躯体１ｂを好適に接続することが可能となり、例えば、第１躯体１ａ又は第２躯体１ｂの少なくとも一方が逆打ち工法で施工される場合に、第１躯体１ａと第２躯体１ｂとを接続して、これらの第１躯体１ａや第２躯体１ｂの梁やスラブ等を、山留壁２を支持するための切梁として機能させることが可能となる。また、第１躯体１ａ及び第２躯体１ｂを接続部７０にて接続することにより、第１躯体１ａと第２躯体１ｂとの相互間における人や車両等の安全な通行が可能となる。
【００６５】
また、免震装置６０の設置に伴うジャッキアップ又はジャッキダウンにより第１躯体１ａ及び第２躯体１ｂに上下方向の相対的な変動が生じた場合であっても、接続部７０が積極的に変形することにより、第１躯体１ａ及び第２躯体１ｂにおける接続部７０の接続箇所の変形や損壊を防止でき、これらの第１躯体１ａ及び第２躯体１ｂを好適に接続することが可能となる。
【００６６】
また、第１躯体１ａを逆打ち工法で施工し、第２躯体１ｂを順打ち工法で施工するので、水平支持用の切梁の一部として接続部７０を用いることができ、接続部７０により第１躯体１ａ及び第２躯体１ｂの水平荷重を支持しつつ、これらの第１躯体１ａ及び第２躯体１ｂを好適に接続することが可能となる。
【００６７】
また、接続部７０は鉄筋又は鉄骨のいずれか一方又は両方を備え、本接続工程において、スラブ接続部８０や梁接続部を覆うようにコンクリート８１を打設することにより本接続を行うので、当該接続部７０を用いて本設の大梁４０やスラブ５０を構築することが可能になる。
【００６８】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６９】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、実施の形態に係る施工方法により、接続部７０自身や、第１躯体１ａ又は第２躯体１ｂにおける当該接続部７０の接続箇所が変形したり損壊したりしてしまうことを防止することができなかったり、第１躯体１ａと第２躯体１ｂとの相互間における人や車両等の安全な通行ができなかったりした場合であっても、従来と異なる技術により建築物１００の施工を行うことが出来ている場合には、本願発明の課題が解決されている。
【００７０】
（寸法や材料について）
発明の詳細な説明や図面で説明した建築物１００の各部の寸法、形状、材料、比率等は、あくまで例示であり、その他の任意の寸法、形状、材料、比率等とすることができる。
【００７１】
（工程の順序について）
実施の形態で示した施工方法における各工程の順序については一例に過ぎず、適宜異なる順序で各工程を実行することができる。
【００７２】
（接続部について）
本実施の形態においては、接続部７０は第１躯体１ａから第２躯体１ｂに向けて突出した鉄筋であるものしたが、これに限らず、第１躯体１ａ及び第２躯体１ｂとは別個の部材として形成しても構わない。例えば、第１躯体１ａや第２躯体１ｂのスラブ筋５１を突出させず、第１躯体１ａのスラブ筋５１と第２躯体１ｂのスラブ筋５１とを相互に接続する鉄筋を接続部７０として配置しても良い。梁筋についても同様である。
【００７３】
また、本実施の形態において、接続部７０は鉄筋であるものとして説明したが、所定の可撓性を有する限りにおいて、鉄筋に限られない。例えば、鉄筋の代わりに鉄骨を用いたり、鉄筋に加えて鉄骨を用いたりしても良い。
【００７４】
また、本実施の形態においては、スラブ接続部８０と梁接続部との両方を備えるものとして説明したが、これに限らず、例えばこれらのいずれか一方を省略しても構わない。
【００７５】
（第１躯体及び第２躯体について）
また、本実施の形態においては、第１躯体１ａを逆打ち工法で施工し、第２躯体１ｂを順打ち工法で施工するものとして説明したが、これに限らず、第１躯体１ａと第２躯体１ｂとの間に上下変位が生じ得るあらゆる建築物１００に本実施の形態に係る施工方法を適用できる。例えば、第１躯体１ａと第２躯体１ｂのいずれか一方が高層工区であり他方が低層工区である建物において、両工区での免震装置６０の沈み込み量の差異に基づく建物の変形や損壊を防ぐために、本実施の形態に係る施工方法を適用してもよい。
【００７６】
また、本実施の形態においては、図３に示すように予め第１躯体１ａの高さを第２躯体１ｂよりも高くなるように構築しておくものとして説明したが、これに限られず、第１躯体１ａの高さと第２躯体１ｂの高さを任意に設定して構わない。すなわち、免震装置６０の設置後ジャッキダウンさせた際に、適切な高さ（例えば、第２躯体１ｂと同一の高さ）となるように第１躯体１ａの高さを設定して構わない。
【００７７】
（変動工程について）
本実施の形態においては、変動工程は、ジャッキアップ及びジャッキダウンを行う工程であるものとして説明したが、第１躯体１ａと第２躯体１ｂとの相互間に上下方向における相対的な位置関係が変動する限りにおいて、これに限られない。例えば第１躯体１ａの自重による沈み込みと、第２躯体１ｂの自重による沈み込みとの差異に基づく位置関係の変動であっても構わない。例えば、第１躯体１ａは逆打ち工法で施工するため、第２躯体１ｂよりも早期に上階が積み上げられていくため、第２躯体１ｂよりも沈み込みが大きいが、本実施の形態に係る接続部７０によれば、当該変動も許容することが可能である。
【００７８】
（付記）
付記１の施工方法は、建築物を第１工区及び第２工区に分割して施工する施工方法であって、前記第１工区において前記建築物における第１躯体を施工する第１躯体施工工程と、前記第２工区において前記建築物における第２躯体を施工する第２躯体施工工程と、前記第１躯体と前記第２躯体とを所定以上の可撓性を有する接続手段により相互に仮接続する仮接続工程と、前記第１躯体又は前記第２躯体のいずれか一方又は両方を上昇又は下降させることにより、前記第１躯体と前記第２躯体との上下方向における相対的な位置関係を変動させる変動工程と、前記変動工程の後に、前記第１躯体と前記第２躯体とを本接続する本接続工程と、を含む。
【００７９】
付記２の施工方法は、付記１に記載の施工方法において、前記変動工程は、前記第１躯体又は前記第２躯体のうち上昇又は下降の対象となる対象躯体をジャッキアップするジャッキアップ工程と、前記対象躯体に対して免震装置を設置する免震装置設置工程と、前記免震装置設置工程の後に、前記対象躯体をジャッキダウンさせるジャッキダウン工程と、を含む。
【００８０】
付記３の施工方法は、付記１又は２に記載の施工方法において、前記第１躯体施工工程において、前記第１躯体を逆打ち工法で施工し、前記第２躯体施工工程において、前記第２躯体を順打ち工法で施工する。
【００８１】
付記４の施工方法は、付記１から３のいずれか一項に記載の施工方法において、前記接続手段は鉄筋又は鉄骨のいずれか一方又は両方を備え、前記本接続工程において、前記鉄筋又は鉄骨のいずれか一方又は両方を覆うようにコンクリートを打設することにより前記本接続を行う。
【００８２】
（付記の効果）
付記１に記載の施工方法によれば、第１躯体と第２躯体とを所定以上の可撓性を有する接続手段により相互に仮接続し、変動工程の後に第１躯体と第２躯体とを本接続するので、上下方向の相対的な位置関係が相互に変動する第１躯体及び第２躯体において、接続手段が積極的に変形することにより、第１躯体又は第２躯体における当該接続手段の接続箇所の変形や損壊を防止でき、これらの第１躯体及び第２躯体を好適に接続することが可能となり、例えば、第１躯体又は第２躯体の少なくとも一方が逆打ち工法で施工される場合に、第１躯体と第２躯体とを接続して、これらの第１躯体や第２躯体の梁やスラブ等を、山留壁を支持するための切梁として機能させることが可能となる。また、第１躯体及び第２躯体を接続手段にて接続することにより、第１躯体と第２躯体との相互間における人や車両等の安全な通行が可能となる。
【００８３】
付記２に記載の施工方法によれば、免震装置の設置に伴うジャッキアップ又はジャッキダウンにより第１躯体及び第２躯体に上下方向の相対的な変動が生じた場合であっても、接続手段が積極的に変形することにより、第１躯体又は第２躯体における当該接続手段の接続箇所の変形や損壊を防止でき、これらの第１躯体及び第２躯体を好適に接続することが可能となる。
【００８４】
付記３に記載の施工方法によれば、第１躯体を逆打ち工法で施工し、第２躯体を順打ち工法で施工するので、水平支持用の切梁の一部として接続手段を用いることができ、接続手段により第１躯体及び第２躯体の水平荷重を支持しつつ、これらの第１躯体及び第２躯体を好適に接続することが可能となる。
【００８５】
付記４に記載の施工方法によれば、接続手段は鉄筋又は鉄骨のいずれか一方又は両方を備え、本接続工程において、鉄筋又は鉄骨のいずれか一方又は両方を覆うようにコンクリートを打設することにより本接続を行うので、当該接続手段を用いて本設の梁やスラブを構築することが可能となる。
【符号の説明】
【００８６】
１  躯体
１Ｆ  地上一階
１ａ  第１躯体
１ｂ  第２躯体
２  山留壁
３  足場
４  鉛直ジャッキ
１０  柱
２０  構真柱
３０  基礎杭
３１  耐圧版
４０  大梁
４１  梁筋
４２  コンクリート
５０  スラブ
５１  スラブ筋
５２  コンクリート
６０  免震装置
７０  接続部
８０  スラブ接続部
８１  コンクリート
１００  建築物
Ｂ１  地下一階
Ｌ  免震層
Ｐ１〜Ｐ６  点
【図１】
2018178613.tif 000003
【図２】
2018178613.tif 000004
【図３】
2018178613.tif 000005
【図４】
2018178613.tif 000006
【図５】
2018178613.tif 000007
【図６】
2018178613.tif 000008
【図７】
2018178613.tif 000009
【図８】
2018178613.tif 000010